(57)【特許請求の範囲】
【請求項１】
底部に通気口が設けられた縦型設置装置を台上の被設置面に設置する基台と、当該基台上に立設され、縦型設置装置を挟持する２つの挟持壁とからなる縦型設置装置のスタンドに於て、
前記基台を平面視円形状に形成すると共に、
前記挟持壁と挟持壁との間の基台上に、縦型設置装置を支え且つ前記通気口への風穴を確保する支持片を突設したことを特徴とする縦型設置装置のスタンド。
【請求項２】
前記基台の外周に沿ってその外周側端部にスリットを設けて、当該外周側端部に弾性を持たせたことを特徴とする請求項１に記載の縦型設置装置のスタンド。
【請求項３】
平面視円形状に形成した前記基台の外周側端部を弾性を有する材料で形成して、当該外周側端部に弾性を持たせたことを特徴とする請求項１に記載の縦型設置装置のスタンド。
【発明の詳細な説明】
【技術分野】
【０００１】
本発明は、モデム等の縦型設置装置を机等の台上に設置するために用いるスタンドに関する。
【背景技術】
【０００２】
従来、モデム等の縦型設置装置を机等の台上に設置する場合、特許文献１に開示されるように縦型設置装置に取り外し可能なスタンド、或いは縦型設置装置の底部に一体成形した固定式のスタンドが用いられている。
【０００３】
図５は特許文献１に開示された縦型設置装置１のスタンド３を示し、当該スタンド３は、縦型設置装置１の長手方向に沿って平面視矩形状に形成された基台３ａと、縦型設置装置１に沿って基台３ａ上に立設した２つの挟持壁３ｂ，３ｃとからなり、両挟持壁３ｂ，３ｃ間に縦型設置装置１を挟持し、縦型設置装置１の底面をネジ５でスタンド３の基台３ａに固定して、縦型設置装置１を机上等に設置している。
【０００４】
また、図示しないが固定式のスタンドは、縦型設置装置の左右両側面の下部にスタンド片を横方向へ一体的に突設したもので、通常、スタンド片は縦型設置装置の長手方向に沿って左右に一つ、或いは複数設けられている。
【特許文献１】特開２００１−３５８４６９号公報
【発明の開示】
【発明が解決しようとする課題】
【０００５】
しかし乍ら、前記スタンド３は、縦型設置装置１への取付け／取り外し作業が繁雑で、縦型設置装置１から取り外したスタンド３を別途保管しておかなければならない煩わしさがあった。
【０００６】
一方、固定式のスタンドは、スタンドを必要としない設置時に、スタンド片が設置の妨げになってしまう問題があった。また、縦型設置装置の大きさや重心位置に応じてスタンドの形状を大きくする必要があるが、スタンドを装置内に収容するスペースが限られているため、スタンド設置面を大きく取れない問題がある。
【０００７】
更に、内部の冷却のために、縦型設置装置１の底面に設けた通気口から空気を取り入れる場合、図７の如く縦型設置装置１の底部にスタンド３を取り付けてしまうと、スタンド３が通気口を塞いで冷却効率が低下してしまう虞がある。
【０００８】
このため、縦型設置装置１の底部をスタンド３から浮かせる必要があるが、従来のスタンド３の形状は、縦型設置装置１の転倒防止を考慮した構造ではないため、縦型設置装置１を浮かせてしまうと、縦型設置装置１の重心が高くなって不安定となってしまう欠点がある。
【０００９】
本発明は斯かる実情に鑑み案出されたもので、縦型設置装置を机上等に設置するに当たり、縦型設置装置の転倒を積極的に防止して、設置の安定化を図った縦型設置装置のスタンドを提供することを目的とする。
【課題を解決するための手段】
【００１０】
斯かる目的を達成するため、本発明は、底部に通気口が設けられた縦型設置装置を台上の被設置面に設置する基台と、当該基台上に立設され、縦型設置装置を挟持する２つの挟持壁とからなる縦型設置装置のスタンドに於て、前記基台を平面視円形状に形成すると共に、前記挟持壁と挟持壁との間の基台上に、縦型設置装置を支え且つ前記通気口への風穴を確保する支持片を突設したことを特徴とする。
【発明の効果】
【００１１】
本発明によれば、挟持壁と挟持壁との間の基台上に縦型設置装置を支える支持片を突設したため、通気口への風穴を確保することができる。
また、斯様に支持片で縦型設置装置を支えた結果、縦型設置装置の重心が高くなるが、縦型設置装置の長手方向に沿って前記基台を平面視円形状に形成したため、台上に設置された縦型設置装置が転倒しそうになった場合、基台は面で支えるのでなく外周の一点で支えることになるため、力が他点に逃げ（力点が移動して力が逃げ）、この結果、縦型設置装置の転倒を確実に防止することができ、重心が高くなった縦型設置装置の確実な安定化を図ることができる利点を有する。
【００１２】
以下、本発明の実施形態を図面に基づいて詳細に説明する。
図１乃至図３は本発明の第一実施形態に係るスタンドとこれに支持される縦型設置装置を示し、図中、１１-1はＡＢＳ樹脂等によりケーシング１３-1が狭幅な箱体に形成された縦型設置装置、５７は当該縦型設置装置１１-1を設置するスタンドで、図３に示すようにケーシング１３-1の底部１５-1には通気口５９が前後の二箇所に設けられている。
【００１３】
而して、本実施形態に係るスタンド５７は、図５のスタンド３と同様、机等の台上の被設置面に当接する基台６１と、当該基台６１上に立設され、縦型設置装置１１-1を挟持する２つの挟持壁６３，６５とで構成されている。また、図２に示すように挟持壁６３，６５間の中央には、前記通気口５９への風穴を確保するため、所定の高さ寸法からなる支持片６７が基台６１上に突設されており、縦型設置装置１１-1は当該支持片６７で支えられ、且つ前記挟持壁６３，６５によって挟持されるようになっている。
そして、図３に示すように基台６１は平面視円形状に形成されて、基台６１の外周６９は、縦型設置装置１１-1（ケーシング１３-1）の長手方向に沿ってのみならず、全周が円
弧状に形成されている。
【００１４】
このように本実施形態は、スタンド５７の基台６１を平面視円形状に形成したことを特徴とする。
この結果、風穴確保のためにスタンド５７の基台６１に前記支持片６７を突設して縦型設置装置１１-1の重心が高くなるが、重心の高い縦型設置装置１１-1が転倒しかかっても、基台６１は面で支えるのでなく外周６９一点で支えることになるため、力が他点に逃げ、縦型設置装置１１-1の転倒を積極的に防止する。
従って、本実施形態によれば、通気口５９への風穴を確保することができると共に、重心が高くなった縦型設置装置１１-1の転倒防止を図り、設置した縦型設置装置１１-1の安定性を確保することができる利点を有する。
【００１７】
図４は本発明の第二実施形態に係るスタンドを示し、本実施形態に係るスタンド５７-3は、図１のスタンド５７の構成に加え、平面視円形状に形成された基台６１-3の外周６９-3に沿ってその外周側端部７１、７３にスリット７５、７７を設けることで、当該外周側端部７１，７３に弾性を持たせたもので、図示するようにスリット７５、７７は縦型設置装置１１-1の長手方向に沿って形成されている。
而して、本実施形態によれば、縦型設置装置１１-1が転倒しそうになった場合、弾性を有する外周側端部７１，７３が撓み、その弾力で力が他点に逃げるため、縦型設置装置１１-1の転倒をより確実に防止することができる利点を有する。
【００１８】
また、前記スリット７５，７７に代え、図示しない本発明の第三実施形態のように、平面視円形状に形成した基台の外周側端部を、ばね性を持ったステンレスやポリエステルのエラストマーといった弾性を有する材料で形成して、基台の外周側端部に弾性を持たせてもよく、この実施形態によっても、図４の実施形態と同様、所期の目的を達成することが可能である。
【図面の簡単な説明】
【００１９】
【図１】本発明の第一実施形態に係るスタンドとこれに支持される縦型設置装置の斜視図である。
【図２】スタンドとこれに支持される縦型設置装置の正面図である。
【図３】スタンドとこれに支持される縦型設置装置の底面図である。
【図４】本発明の第二実施形態に係るスタンドとこれに支持される縦型設置装置の底面図である。
【図５】従来の縦型設置装置のスタンドの全体斜視図である。
【符号の説明】
【００２０】
１１-1  縦型設置装置
１３-1  ケーシング
１５-1  底部
５７，５７-3  スタンド
５９  通気口
６１，６１-3  基台
６３，６５  挟持壁
６７  支持片
６９，６９-3  外周
７１，７３ 外周側端部
７５，７７  スリット
【図１】
0004732401.tif 000002
【図２】
0004732401.tif 000003
【図３】
0004732401.tif 000004
【図４】
0004732401.tif 000005
【図５】
0004732401.tif 000006